(57)【要約】【課題】本発明は、テレビを視聴したり動画像を再生したりする際に電池残量を監視して、通話処理に必要な電池量を常に確保することができる携帯電話機を提供する。【解決手段】動画像を再生する携帯電話機であって、電池残量値、及び通話処理に必要な電池量に基づいて動画像再生処理に必要な視聴電池残量値を算出する視聴電池残量算出手段（Ｓ２０９）と、算出された視聴電池残量値に基づいて、動画像再生処理が可能か否かを判断する視聴可否判断手段（Ｓ２１１）と、動画像再生処理が不可能であると判断された場合、警告を発生する警告手段（Ｓ２１９）と、を備えた。【選択図】  図４
2008306426.tif 000002
【特許請求の範囲】
【請求項１】
動画像を再生する携帯電話機であって、
電池残量値、及び通話処理に必要な電池量に基づいて動画像再生処理に必要な視聴電池残量値を算出する視聴電池残量算出手段と、
前記視聴電池残量算出手段により算出された視聴電池残量値に基づいて、動画像再生処理が可能か否かを判断する視聴可否判断手段と、
前記視聴可否判断手段により動画像再生処理が不可能であると判断された場合、警告を発生する警告手段と、
を備えたことを特徴とする携帯電話機。
【請求項２】
前記視聴電池残量算出手段により算出された視聴電池残量値に基づいて動画像再生処理が可能な時間である視聴可能時間を算出する視聴可能時間算出手段と、
前記視聴可能時間算出手段により算出された視聴可能時間を表示する視聴可能時間表示手段を備えた請求項１記載の携帯電話機。
【請求項３】
電池残量値に基づいて通話可能時間を算出する通話可能時間算出手段と、
前記通話可能時間算出手段により算出された通話可能時間を表示する通話可能時間表示手段とを備えた請求項２記載の携帯電話機。
【請求項４】
入力された通話時間に基づいて、前記通話処理に必要な電池量を算出する通話電池残量算出手段を備えた請求項１記載の携帯電話機。
【請求項５】
前記警告手段は、前記視聴可否判断手段により動画像再生処理が不可能であると判断された場合、動画像の再生を禁止する請求項１記載の携帯電話機。
【発明の詳細な説明】
【技術分野】
【０００１】
本発明は、動画像を再生する携帯電話機に係り、具体的には、動画像を再生する際に電池残量を監視して、通話処理を行うための電池量を常に確保する携帯電話機に関する。
【背景技術】
【０００２】
地上波デジタル放送等のテレビ視聴機能を備えた携帯電話機において、テレビ視聴機能を利用すると、電池消費が通常以上に消費され、数時間のテレビ視聴でユーザが気付かないうちに低電圧付近までの電圧となり、音声通話の通話時間がなくなってしまう問題点があった。
【０００３】
従来、バッテリの残量が所定以下になると、特定のデータを表示部に表示させることによりユーザに提示して、そのデータを見たユーザが即座にバッテリ交換などの作業が行えるようにするという技術の開示がある（特許文献１参照）。
【特許文献１】特開２００６−２１７２５８号公報
【発明の開示】
【発明が解決しようとする課題】
【０００４】
しかしながら、テレビ視聴機能や動画像再生機能を利用しているときに、ユーザの思わぬところで電池を大量に消費しており、いざ通話しようとユーザが考えた場合、電池残量がなく、通話（発信）だけでなく、着信すら出来なくなる場合があった。
【０００５】
本発明は、上記課題を鑑みなされたもので、テレビを視聴したり動画像を再生したりする際に電池残量を監視して、通話処理に必要な電池量を常に確保することができる携帯電話機を提供することを目的とする。
【課題を解決するための手段】
【０００６】
上記課題を解決するために、本発明に係る携帯電話機は、動画像信号を受信して動画像を再生する携帯電話機であって、電池残量値、及び通話処理に必要な電池量に基づいて動画像再生処理に必要な視聴電池残量値を算出する視聴電池残量算出手段と、前記視聴電池残量算出手段により算出された視聴電池残量値に基づいて、動画像再生処理が可能か否かを判断する視聴可否判断手段と、前記視聴可否判断手段により動画像再生処理が不可能であると判断された場合、警告を発生する警告手段と、を備えたことを特徴とする。
【発明の効果】
【０００７】
本発明に係る携帯電話機によると、テレビを視聴したり動画像を再生したりする際に、通話処理を所定時間行うための電池量を考慮して電池残量を監視することにより、通話処理に必要となる電池量を常に確保することが可能となる。
【発明を実施するための最良の形態】
【０００８】
本発明に係る携帯電話機の実施形態について、添付図面を参照しながら説明する。なお、本発明に係る携帯電話機として、地上波デジタル放送（地上波デジタルワンセグ放送を含む）の動画像信号を受信して動画像を再生する再生機能を備えた携帯電話機１を例にあげて説明する。
【０００９】
携帯電話機１は、図１に示すように、主制御部１１、電源回路部１２、操作入力制御部１３、ＬＣＤ制御部１４、記憶部１５、音声コーデック１６、変復調回路部１７、テレビ制御部１８、多重化分離部１９、及び画像デコーダ２０を備える。
【００１０】
主制御部１１は、様々なデータ処理や演算を行うＣＰＵ（Central Processing Unit）を具備し、携帯電話機１の総括的な制御を行うとともに、後述する電池残量監視処理や、その他の様々な演算処理や制御処理等を行う。電源回路部１２は、ユーザによる操作キー２１を介した入力に基づいて電源のオン／オフ状態を切り替え、電源がオン状態の場合には電力供給源（バッテリ等）から各部に対して電力を供給して、携帯電話機１を動作可能にする。また電源回路部１２は、電力供給源の電池残量を管理し、要求に応じてこの電池残量値を送信する。
【００１１】
操作入力制御部１３は、操作キー２１によって入力されたデータを主制御部１１に伝送する。ＬＣＤ制御部１４は、主制御部１１の制御に基づいて、文書データや画像データ等を液晶ディスプレイ２２に表示する処理を行う。記憶部１５は、主制御部１１が行う処理の処理プログラム等を格納するＲＯＭ（Read Only Memory）やハードディスク等の磁気的な記憶装置、主制御部１１が処理を行う際に使用するデータを一時的に記憶するＲＡＭ（Random Access Memory）等の電気的な記憶装置とからなる。
【００１２】
音声コーデック１６は、主制御部１１の制御に基づいて、マイクロフォン２３で集音した音声からアナログ音声信号を生成する。変復調回路部１７は、音声通話の際に、音声コーデック１６からアナログ信号を入力すると、この信号をデジタル信号に変換して送受信回路部２５に伝送する。送受信回路部２５はこのデジタル音声信号をアンテナ２６を介して送信する。
【００１３】
また、変復調回路部１７は、送受信回路部２５を介して受信したデジタル音声信号をアナログ音声信号に変換する。音声コーデック１６は、音声通話の際に、変復調回路部１７からアナログ音声信号を取得して、スピーカ２４から音声として出力する。
【００１４】
テレビ制御部１８は、地上波デジタル放送（地上波デジタルワンセグ放送も含む。）の動画像信号を受信するチューナ３０、地上波デジタル放送の再生中に電池残量を監視する電池残量監視部３１、携帯電話機１の電池残量から地上波デジタル放送の視聴可能時間等を算出する演算部３２を備える。
【００１５】
多重分離部１９は、複数の信号を重ねて多重化信号を生成する多重化処理、及び、多重化信号を複数の信号に分離する分離処理を行う。例えば、多重分離部１９は、テレビ制御部１８が受信した地上波デジタル放送の多重化された動画像信号を入力し、この入力した動画像信号を画像信号と音声信号とに分離し、画像信号を画像デコーダ２０に伝送するとともに、音声信号を音声コーデック１６に伝送する。
【００１６】
画像デコーダ２０は、多重分離部１９から画像信号を入力し、この画像信号を所定の符号化方式に対応した復号化方式で復号することにより再生動画像信号を生成する。画像デコーダ２０がこの再生動画像信号をＬＣＤ制御部１４に伝送すると、ＬＣＤ制御部１４は、地上波デジタル放送の動画像を液晶ディスプレイ２２に表示する。
【００１７】
なお、主制御部１１が使用する処理プログラムは、記憶部１５に予めインストールされていても、アンテナ２６を介してダウンロードされても良い。
【００１８】
従来のテレビ視聴機能付きの携帯電話機では、地上波デジタル放送の動画像信号を受信して動画像を再生する際に、ユーザが気付かないうちに電池残量がなくなって通話処理やメールの送受信処理等の処理が行えなくなってしまう恐れがあった。そこで、本発明に係る携帯電話機１は、地上波デジタル放送の動画像信号を受信して動画像を再生する際に、最低限必要となる電池量を残しておくために、電池残量を監視する電池残量監視処理を行う。
【００１９】
なお、携帯電話機１は、電池残量が予め設定された電池残量の規定値以上を保つように、電池残量を監視する。この電池残量規定値は予め記憶部１５に記憶されている。また、携帯電話機１は、所定の通話時間分の通話処理が行える電池量を常に確保しておくように、電池残量を監視している。この所定の通話時間は、通話時間設定値として、例えば、図２のフローチャートに示す手順に従って設定され、記憶部１８に記憶される。
【００２０】
ここで、携帯電話機１においてこの通話時間設定値が設定される手順について図２に基づいて説明する。以下、例えば「ステップＳ１０１」を「Ｓ１０１」のように、「ステップ」を省略して説明する。
【００２１】
まず携帯電話機１の主制御部１１は、ユーザにより通話時間設定値の設定が指示されたか否かを判断する（Ｓ１０１）。通話時間設定値の設定が指示された場合は、主制御部１１は、液晶ディスプレイ２２に、図３に示すような通話時間設定値の設定画面４０を表示する（Ｓ１０３）。設定画面４０は、最低限の通話時間を入力するための時間入力欄４１と、時間入力欄４１に入力された時間を通話時間設定値として設定するための決定ボタン４２と、通話時間設定値の設定を行わずに終了するための戻るボタン４３を備えている。ユーザは、操作キー２１を用いて時間入力欄４１に希望の通話時間設定値を入力する。
【００２２】
主制御部１１は、戻るボタン４３が押されたか否かを判断する（Ｓ１０５）。戻るボタン４３が押された場合（Ｓ１０５のＹｅｓ）は、主制御部１１は通話時間設定値を設定せずに、処理を終了する。
【００２３】
戻るボタン４３が押されていない場合（Ｓ１０５のＮｏ）は、主制御部１１は通話時間が入力されて決定ボタン４２が押されたか否かを判断する（Ｓ１０７）。通話時間が入力され、かつ決定ボタン４２が押されていない場合（Ｓ１０７のＮｏ）は、Ｓ１０５に戻り、戻るボタン４３または決定ボタン４３が押されるまで待機する。
【００２４】
通話時間が入力されて決定ボタン４２が押された場合（Ｓ１０７のＹｅｓ）は、主制御部１１は、時間入力欄４１に入力された時間を通話時間設定値（例えば３０分）を記憶部１８に記憶する（Ｓ１０９）。このように入力された時間が通話時間設定値として記憶部１８に記憶されることにより、通話時間設定値が設定される。
【００２５】
次に、この設定された通話時間設定値に基づいて、携帯電話機１が地上波デジタル放送の再生時に電池残量監視処理を行う際の手順について、図４及び図５に示すフローチャートに基づいて説明する。
【００２６】
始めに、図４に示すように、電池残量監視部３１は携帯電話機１のテレビの再生機能が起動されたか否かを判断する（Ｓ２０１）。テレビの再生機能が起動された場合（Ｓ２０１のＹｅｓ）は、電池残量監視部３１は、電源回路部１２から電池残量値を取得する（Ｓ２０３）。また電池残量監視部３１は、記憶部１５から電池残量規定値を取得する（Ｓ２０５）。
【００２７】
電池残量監視部３１は、Ｓ２０３で取得した電池残量値とＳ２０５で取得した電池残量規定値とを比較し、電池残量値が電池残量規定値より大きいか否かを判断する（Ｓ２０７）。
【００２８】
電池残量値が電池残量規定値より大きい場合（Ｓ２０７のＹｅｓ）は、電池残量監視部３１は、地上波デジタル放送の再生処理を行うのに十分な電池残量があると判断する。そして演算部３２は、再生処理を行うのに充分な電池残量があるか否かを判断する視聴可否判断処理を行う（Ｓ２０９）。
【００２９】
図５は、視聴可否判定処理の手順を示すフローチャートである。始めに、演算部３２は、Ｓ１０９で記憶部１５に記憶された通話残量時間設定値を取得する（Ｓ３０１）。また演算部３２は、電池残量監視部３１がＳ２０３で取得した電池残量値を取得する（Ｓ３０３）。この際、演算部３２は電源回路部１２から電池残量値を取得しても良い。
【００３０】
演算部３２は、通話処理が行える時間を示す通話可能時間を算出する（Ｓ３０５）。この通話可能時間は、例えば所定時間の通話処理を行うのに必要となる電池量を計数として使用し、Ｓ３０３にて取得した電池残量値をこの係数で割ること等により算出される。この計数は、基地局からの距離等、状態に依存する変数であっても良い。
【００３１】
演算部３２は、地上波デジタル放送の再生処理に使用できる電池量を示す視聴電池残量値を算出する（Ｓ３０６）。この視聴電池残量値は、たとえば、Ｓ３０３にて取得した電池残量値から、Ｓ３０５で算出された通話可能時間の通話処理に使用される電池量を差し引くこと等により算出される。
【００３２】
演算部３２は、地上波デジタル放送の再生処理が可能な時間を示す視聴可能時間を算出する（Ｓ３０７）。この視聴可能時間は、Ｓ３０６にて算出された視聴電池残量値に基づいて算出される。演算部３２は、地上波デジタル放送の再生処理を所定時間行うために必要となる電池量を計数として使用し、例えば、視聴電池残量値をこの計数で割ること等により算出される。この計数は、液晶ディスプレイ２２に表示される画面の照度等、状態に依存する変数であっても良い。
【００３３】
演算部３２は、Ｓ３０５で算出した通話可能時間とＳ１０９で設定された通話時間設定値とを比較して、通話可能時間が通話時間設定値より大きいか否かを判断する（Ｓ３０９）。
【００３４】
通話可能時間が通話時間設定値よりも大きい場合（Ｓ３０９のＹｅｓ）は、演算部３２は地上波デジタル放送の再生処理が可能であると判断し、再生（視聴）可能である旨を示す視聴可能情報を電池残量監視部３１に通知する（Ｓ３１１）。
【００３５】
通話可能時間が通話時間設定値よりも小さい場合（Ｓ３０９のＮｏ）は、演算部３２は地上波デジタル放送の再生処理が不可能であると判断し、再生（視聴）不可能である旨を示す視聴不可能情報を電池残量監視部３１に通知する（Ｓ３１３）。
【００３６】
電池残量監視部３１は、携帯電話機１において地上波デジタル放送が視聴可能か否かを判断する（Ｓ２１１）。これは、演算部３２によりＳ３１１またはＳ３１３にて通視された視聴可能情報または視聴不可能情報によって判断される。
【００３７】
演算部３２から視聴可能情報を取得した場合（Ｓ２１１のＹｅｓ）は、地上波デジタル放送が視聴可能であると判断されたので、地上波デジタル放送を受信して再生する（Ｓ２１３）。図６に、携帯電話機１において地上波デジタル放送を受信して再生した際に、液晶ディスプレイ２２に表示される再生画面５０を示す。再生画面５０は、通話可能時間が表示される通話可能時間表示部５１、視聴可能時間が表示される視聴可能時間表示部５２を備えている。通話可能時間表示部５１には通話可能時間として「９０ｍ」と表示されており、視聴可能時間表示部５２には視聴可能時間として「１２０ｍ」と表示されている。これらから、通話可能時間が９０分であり視聴可能時間が１２０分であることがわかる。
【００３８】
主制御部１１は、演算部３２がＳ３０７で算出した視聴可能時間を、再生画面５０の視聴可能時間表示部５２に表示する（Ｓ２１５）。また主制御部１１は、演算部３２がＳ３０５で算出した通話可能時間を、再生画面５０の通話可能時間表示部５１に表示する（Ｓ２１７）。
【００３９】
演算部３２から視聴不可能情報を取得した場合（Ｓ２１１のＮｏ）、または、電池残量値が電池残量規定値小さい場合（Ｓ２０７のＮｏ）は、電池残量監視部３１は主制御部１１に警告を表示させるように指示を出し、主制御部１１は、液晶ディスプレイ２２に警告を表示する（Ｓ２１９）。この際、携帯電話機１を振動させたり鳴動させたりすることによって警告を発生し、ユーザに注意を促してもよい。
【００４０】
また主制御部１１は、警告を表示させた上で、ユーザに地上波デジタル放送の視聴を行うか否かの判断を促す（Ｓ２２１）。ユーザにより地上波デジタル放送の視聴を指示された場合（Ｓ２２１のＹｅｓ）は、主制御部１１は地上波デジタル放送を受信して再生する（Ｓ２１３）。また、主制御部１１は、演算部３２がＳ３０７で算出した視聴可能時間を表示する（Ｓ２１５）。主制御部１１は、演算部３２がＳ３０５で算出した通話可能時間を表示する（Ｓ２１７）。
【００４１】
ユーザにより地上波デジタル放送の視聴を指示されなかった場合（Ｓ２２１のＮｏ）は、主制御部１１は地上波デジタル放送の受信、再生を行わずに処理を終了する。なお、Ｓ２２１において、主制御部１１は、ユーザに地上波デジタル放送の視聴を行うか否かの判断を促さずに、地上波デジタル放送の受信、再生を禁止し、そのまま処理を終了しても良い。
【００４２】
このように、携帯電話機１は、地上波デジタル放送の再生処理を開始する際に、所定の通話時間の通話処理が可能な電池量を考慮して電池残量から視聴可能時間を算出することにより、地上波デジタル放送の視聴が可能か否かを判断する。そして携帯電話機１は、視聴が不可能であると判断した場合には、ユーザに対して警告を発生する。
【００４３】
携帯電話機１は、地上波デジタル放送を受信して再生している際においても電池残量監視処理を行う。この際の電池残量監視処理の手順を、図７に示すフローチャートに基づいて説明する。
【００４４】
携帯電話機１において地上波デジタル放送を受信して再生している際に、電池残量監視部１１は、一定時間（例えば６０秒）が経過したか否かを判断する（Ｓ４０１）。この一定時間は、記憶部に１８に予め記憶されている時間であっても、ユーザにより操作キー２１を介して入力された時間であっても良い。一定時間が経過していない場合（Ｓ４０１のＮｏ）は、電池残量監視部１１は一定時間が経過するまで待機する。
【００４５】
一定時間が経過した場合（Ｓ４０１のＹｅｓ）は、電池残量監視部１１は、電源回路部１２から電池残量値を取得する（Ｓ４０３）。また電池残量監視部１１は、記憶部１５から電池残量規定値を取得する（Ｓ４０５）。
【００４６】
電池残量監視部１１は、Ｓ４０３で取得した電池残量値が、Ｓ４０５にて取得した電池残量規定値より大きいか否かを判断する（Ｓ４０７）。電池残量値が電池残量規定値よりも大きかった場合（Ｓ４０７）は、Ｓ３０１乃至Ｓ３１１（またはＳ３１３）の通話時間判定処理を行う。この通話時間判定処理については、前述しているので説明を省略する。
【００４７】
電池残量監視部１１は、携帯電話機１において地上波デジタル放送が視聴可能か否かを判断する（Ｓ４１１）。この判断は、Ｓ２２１と同様に、演算部３２の通話時間判定処理により視聴可能情報が通知されたか視聴不可能情報が通知されたかで判断する。
【００４８】
演算部３２から視聴可能情報が通知された場合（Ｓ４１１のＹｅｓ）は、地上波デジタル放送が視聴継続可能であると判断されたので、主制御部１１は地上波デジタル放送の再生を継続する。主制御部１１は、再生画面５０の視聴可能時間表示部５２に、演算部３２がＳ３０７にて算出した視聴可能時間を表示する（Ｓ４１３）。また主制御部１１は、再生画面５０の通話可能時間表示部５１に、演算部３２がＳ３０５にて算出した通話時間設定値を表示する（Ｓ４１５）。
【００４９】
図８に、携帯電話機１において地上波デジタル放送を受信して再生している際に、液晶ディスプレイ２２に表示される再生画面５０を示す。通話可能時間表示部５１には通話可能時間として「９０ｍ」と表示されており、視聴可能時間表示部５２には視聴可能時間として「００１ｍ」と表示されている。これらの表示により、ユーザは通話可能時間が９０分であり視聴可能時間が１分であることを認識できる。図６に示す再生画面５０の時点（地上波デジタル放送の再生処理を開始した時点）では、視聴可能時間が１２０分であったが、地上波デジタル放送の再生処理により電池残量が減ったため、図８に示す再生画面５０の時点では、視聴可能時間が１分にまで減っていることがわかる。
【００５０】
演算部３２から視聴不可能情報を取得した場合（Ｓ４１１のＮｏ）、または、電池残量値が電池残量規定値小さい場合（Ｓ４０７のＮｏ）は、電池残量監視部３１は主制御部１１に警告を表示させるように指示を出し、主制御部１１は、液晶ディスプレイ２２に警告を表示する（Ｓ４１７）。この際、主制御部１１は、携帯電話機１を振動させたり鳴動させたりすることにより警告を発生させ、ユーザに注意を促しても良い。あるいは、視聴可能時間表示部５２を表示色を変えたり点滅させたりすることによりユーザに注意を促しても良い。
【００５１】
また主制御部１１は、警告を表示させた上で、地上波デジタル放送の視聴を終了するか否かの判断を促す（Ｓ４１９）。ユーザにより地上波デジタル放送の視聴の終了を指示されなかった場合（Ｓ４１９のＮｏ）は、主制御部１１は地上波デジタル放送の再生を継続する。また、主制御部１１は、演算部３２がＳ３０７で算出した視聴可能時間を表示する（Ｓ４１３）。主制御部１１は、演算部３２がＳ３０５で算出した通話可能時間を表示する（Ｓ４１５）。
【００５２】
ユーザにより地上波デジタル放送の視聴の終了を指示された場合（Ｓ４１９のＮｏ）は、主制御部１１は、地上波デジタル放送の受信、再生の処理を終了する（Ｓ４２１）。なお、Ｓ４１９において、主制御部１１は、ユーザに地上波デジタル放送の視聴を行うか否かの判断を促さずに、地上波デジタル放送の受信、再生を禁止し、そのまま処理を終了しても良い。
【００５３】
このように、携帯電話機１は、地上波デジタル放送を受信して再生している際に、所定時間毎に、所定の通話時間における通話処理が可能な電池量を考慮して電池残量から視聴可能時間を算出することにより、地上波デジタル放送の視聴が可能か否かを判断する。そして携帯電話機１は、視聴が不可能であると判断した場合には、ユーザに対して警告を発生する。
【００５４】
なお、携帯電話機１の実施形態として、全体の電池残量から通話処理に用いられる電池量である通話電池残量を差し引いた電池量である視聴電池残量に基づいて、視聴可能時間を算出する例について説明したが、これに限らず、全体の電池残量から視聴可能時間を算出して表示しても良い。
【００５５】
また、携帯電話機１の実施形態として、通話処理のための電池量である通話電池残量を確保する例について説明したが、これに限らず、音楽やゲーム、無線ＬＡＮ通信等の様々なアプリケーション処理を行うための電池量を確保するようにしても良い。
【００５６】
そして、Ｓ２１９にて警告を発生する際に、視聴可能時間表示部５２に表示されている文字や画像を通常よりも大きく表示したり、通話可能時間表示部５１や視聴可能時間表示部５２をスクロール（テロップ）表示させても良い。このスクロール表示には、液晶ディスプレイ２２の焼き込みを防止する効果もある。あるいは、Ｓ２１５、Ｓ２１７、Ｓ４１３、及びＳ４１５の処理を通常行わずに、電池残量値や視聴電池残量値が所定値以下であった場合にのみ、行うようにしても良い。
【００５７】
さらに、Ｓ２１９にて警告を発生する際に、携帯電話機１にイヤホンが接続されている際には、イヤホンを介して警告音を発生させても良い。
【００５８】
本発明に係る携帯電話機１によると、地上波デジタル放送等の動画像信号を受信して動画像を再生する際に、通話処理を所定時間行うための電池量を考慮して電池残量を監視することにより、通話処理に必要となる電池量を常に確保することが可能となる。
【００５９】
また、本発明に係る携帯電話機１によると、電池残量値から、通話処理が可能な時間及び動画像再生処理が可能な時間の双方を算出して表示することにより、ユーザが電池残量を認知して地上波デジタル放送の視聴時間を調整することが可能となる。
【００６０】
なお、ステップＳ３０６の処理が視聴電池残量算出手段であり、ステップＳ２１１、Ｓ３０９乃至Ｓ３１３の処理が視聴可否判断手段であり、ステップＳ２１９の処理が警告手段である。
【００６１】
また、ステップＳ３０７の処理が視聴可能時間算出手段であり、ステップＳ２１５の処理が視聴可能時間表示処理であり、ステップＳ３０５の処理が通話可能時間算出手段及び通話電池残量算出手段であり、ステップＳ２１７の処理が通話可能時間表示手段である。
【００６２】
実施形態として携帯電話機について説明したが、これに限らず、ＰＨＳ（Personal Handyphone System）、ＰＤＡ（Personal Digital Assistant）、携帯型動画像再生装置、パーソナルコンピュータ等、通話機能や地上波デジタル放送等のテレビ視聴機能を備えた任意の情報処理装置に適用することができる。
【００６３】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００６４】
【図１】本発明に係る携帯電話機のシステム構成図。
【図２】本発明に係る携帯電話機が通話時間設定値設定処理を行う際の手順を示すフローチャート。
【図３】通話時間設定値の設定画面を示す画面図。
【図４】本発明に係る携帯電話機が電池残量監視処理を行う際の手順を示すフローチャート。
【図５】本発明に係る携帯電話機が通話時間判定処理を行う際の手順を示すフローチャート。
【図６】本発明に係る携帯電話機における動画像再生中の再生画面を示す画面図。
【図７】本発明に係る携帯電話機が電池残量監視処理を行う際の手順を示すフローチャート。
【図８】本発明に係る携帯電話機における動画像再生中の再生画面を示す画面図。
【符号の説明】
【００６５】
１  携帯電話機
１１  主制御部
１２  電源回路部
１３  操作入力制御部
１４  ＬＣＤ制御部
１５  記憶部
１６  音声コーデック
１７  変復調回路部
１８  テレビ制御部
１９  多重化分離部
２０  画像デコーダ
２１  操作キー
２２  液晶ディスプレイ
２３  マイクロフォン
２４  スピーカ
２５  送受信回路部
２６  アンテナ
３０  チューナ
３１  電池残量監視部
３２  伝算部
３３  アンテナ
４０  設定画面
５０  再生画面
５１  通話可能時間表示部
５２  視聴可能時間表示部
【図１】
2008306426.tif 000003
【図２】
2008306426.tif 000004
【図３】
2008306426.tif 000005
【図４】
2008306426.tif 000006
【図５】
2008306426.tif 000007
【図６】
2008306426.tif 000008
【図７】
2008306426.tif 000009
【図８】
2008306426.tif 000010